(57)【特許請求の範囲】
【請求項１】
開口片を画成するためのスコア線が刻設された缶蓋のパネル部に、開口操作のためのタブがリベット部で固着され、リベット部から離れたタブの一端側の指掛け部に対し、その下方付近でパネル部に指入れ凹部が形成され、パネル部の指入れ凹部に指先を入れてタブの指掛け部を引き上げることで開口操作を行なうような開口容易缶蓋において、パネル面と略平行な底面を有する指入れ凹部の、該底面の周囲を囲む傾斜面で、タブ指掛け部の側の傾斜面が、底面に対する傾斜角度が５０°〜７０°の範囲となるように傾斜していると共に、タブ指掛け部とは反対側の傾斜面が、底面に対する傾斜角度が５°〜４０°の範囲となるように傾斜し、且つ、傾斜面の両側縁の開き角度が４５°〜１２０°の範囲でパネル部外周縁に向かって拡がるような平面視で略扇状に形成されていることを特徴とする開口容易缶蓋。
【請求項２】
缶蓋のパネル部の外周縁部のうちで、指入れ凹部のタブ指掛け部とは反対側の傾斜面と近接する部分が、その他の部分に比べて下方に凹んでいることを特徴とする請求項１に記載の開口容易缶蓋。
【発明の詳細な説明】
【技術分野】
【０００１】
本発明は、飲料缶等の缶容器の天板側の端壁として缶胴に巻締固着される缶蓋で、缶蓋のパネル部にリベット止めされたタブの一端側を指掛け部として引き上げることで開口操作を行なうような開口容易缶蓋に関し、特に、タブの指掛け部の下方付近で、パネル部に指入れ用の凹部を形成することにより、開口操作時にタブの指掛け部に指先を掛け易いようにした開口容易缶蓋に関する。
【背景技術】
【０００２】
従来から、飲料用の缶容器では、缶容器の天板側の端壁として缶胴に巻締固着される開口容易缶蓋（イージーオープンエンド）として、缶蓋のパネル部にリベット止めされたタブの一端側を指掛け部として引き上げることにより、缶蓋のパネル部のスコア線で囲まれた開口片の部分を缶内に押し下げて、タブや開口片を缶蓋から切り離すことなく、缶蓋のパネル部の一部分を飲み口として部分的に開口するようなステイオンタブ方式の缶蓋が多く使用されており、そのような開口容易缶蓋では、タブの指掛け部を指先で引き上げる際の指掛けを容易にするために、タブの指掛け部の近傍の下方で、パネル部に指入れ用の凹部を形成するということが一般的に行なわれている（例えば、下記の特許文献１，２等参照）。
【特許文献１】特開２０００−１５９２２８号公報
【特許文献２】特開２００２−５９９２８号公報
【発明の開示】
【発明が解決しようとする課題】
【０００３】
ところで、上記のような指入れ用の凹部を有する開口容易缶蓋では、底面と傾斜面とからなる指入れ凹部の深さを深くして、缶蓋のパネル部とタブの指掛け部との間の隙間を大きくするほど、タブの指掛け部に指を掛け易くなるが、指入れ凹部をタブの指掛け部の真下に形成すると、缶蓋の単体同士を重ね合わせた時に、上側の缶蓋の指入れ凹部と下側の缶蓋のタブの指掛け部とが重なることで、指入れ凹部の底面や傾斜面の下面側が擦れて傷付いたり、また、積み重ね性（スタック性）が悪くなって、多数の缶蓋を連続的に巻締装置に供給する際に、缶蓋の切り出しトラブルが発生したりする可能性がある。
【０００４】
そこで、上記の各特許文献にも開示されているように、缶蓋のパネル部とタブの指掛け部との隙間を確保できて、しかも、積み重ね性を損なうことがないように、指入れ凹部の深さを所定の範囲内のものにすると共に、タブの指掛け部を指入れ凹部の傾斜面と僅かに重なるようにしているが、そうした場合に、タブに指を掛けようとすると、タブの指掛け部の近くで指入れ凹部の傾斜面に指が当接することで、タブに指が掛かり難くなることとなる。
【０００５】
これに対して、指入れ凹部の深さを所定の範囲内とした上で、指入れ凹部の傾斜面と指とができるだけ当接しないようするためには、タブ指掛け部の下方に位置する指入れ凹部の傾斜面の傾斜角度をできるだけ急傾斜にすれば良いのであるが、そのように指入れ凹部の傾斜面の傾斜角度を急傾斜にしようとすると、缶蓋のプレス成形時に、指入れ凹部の急傾斜にした傾斜面と底面との接続部の付近での成形性が悪くなって、当該部分で部分的な薄肉化やくびれが生じ、その結果、缶蓋の品位を低下させるような虞がある。
【０００６】
本発明は、上記のような問題の解消を課題とするものであり、具体的には、タブの指掛け部の下方付近でパネル部に指入れ凹部が形成されている開口容易缶蓋について、指入れ凹部の傾斜面を、タブ指掛け部の側で、成形性を悪化させることなく、できるだけ急傾斜に形成して、タブに指を掛け易くすることを課題とするものである。
【課題を解決するための手段】
【０００７】
本発明は、上記のような課題を解決するために、開口片を画成するためのスコア線が刻設された缶蓋のパネル部に、開口操作のためのタブがリベット部で固着され、リベット部から離れたタブの一端側の指掛け部に対し、その下方付近でパネル部に指入れ凹部が形成され、パネル部の指入れ凹部に指先を入れてタブの指掛け部を引き上げることで開口操作を行なうような開口容易缶蓋において、パネル面と略平行な底面を有する指入れ凹部の、該底面の周囲を囲む傾斜面で、タブ指掛け部の側の傾斜面が、底面に対する傾斜角度が５０°〜７０°の範囲となるように傾斜していると共に、タブ指掛け部とは反対側の傾斜面が、底面に対する傾斜角度が５°〜４０°の範囲となるように傾斜し、且つ、傾斜面の両側縁の開き角度が４５°〜１２０°の範囲でパネル部外周縁に向かって拡がるような平面視で略扇状に形成されていることを特徴とするものである。
【発明の効果】
【０００８】
上記のような本発明の開口容易缶蓋によれば、缶蓋のパネル部に形成された指入れ凹部で、タブ指掛け部の側の傾斜面を、底面に対する傾斜角度が５０°〜７０°の範囲となるように、比較的急傾斜としていることによって、タブの指掛け部に指を掛ける際に、タブ指掛け部の側で指入れ凹部の傾斜面が邪魔になり難くなって、タブの指掛かり性を向上させることができる。
【０００９】
また、タブ指掛け部とは反対側の傾斜面を、底面に対する傾斜角度が５°〜４０°の範囲となるように、比較的緩傾斜として、且つ、傾斜面の両側縁の開き角度が４５°〜１２０°の範囲でパネル部外周縁に向かって拡がるような平面視で略扇状に形成していることから、缶蓋の成形時に、指入れ凹部では、タブ指掛け部とは反対側のパネル部の外周部分から多くの金属材料をタブ指掛け部の側の傾斜面にスムーズに移行させることができ、タブ指掛け部の側で急傾斜となっている傾斜面と底面との接続部で充分に金属材料を確保することができて、当該部分で薄肉化やくびれ等が生じることを防止することができる。
【発明を実施するための最良の形態】
【００１０】
タブの指掛け部の下方付近でパネル部に指入れ凹部が形成されている開口容易缶蓋について、指入れ凹部の傾斜面を、タブ指掛け部の側で、成形性を悪化させることなく、できるだけ急傾斜に形成して、タブに指を掛け易くするという目的を、最良の形態として以下の実施例に具体的に示すように、パネル面と略平行な底面を有する指入れ凹部の、該底面の周囲を囲む傾斜面で、タブ指掛け部の側の傾斜面を、底面に対する傾斜角度が５０°〜７０°の範囲となるように傾斜させると共に、タブ指掛け部とは反対側の傾斜面を、底面に対する傾斜角度が５°〜４０°の範囲となるように傾斜させ、且つ、傾斜面の両側縁の開き角度が４５°〜１２０°の範囲でパネル部外周縁に向かって拡がるような平面視で略扇状に形成するということで実現した。
【実施例】
【００１１】
本実施例の開口容易缶蓋は、飲料用の缶容器に使用するステイオンタブ方式の開口容易缶蓋であって、図１に示すように、缶蓋１では、パネル部２とカウンターシンク部（環状溝とその外側に続くチャックウォール）３とフランジ部４とが一体的にプレス成形されている本体部分に対して、それとは別体に形成された開口操作用のタブ６が、略円板状のパネル部２の略中央に一体的に形成されたリベット部５でのリベット止めによって固着されている。なお、図示していないが、缶胴との巻締固着部分となるフランジ部４の裏面側には、有機高分子製のシール剤が塗布されて付着される。
【００１２】
缶蓋１の略円板状のパネル部２には、破断可能なスコア線７（なお、開口時に破断する外側の主スコア線７に対して、破断しない内側の副スコア線が二重線の状態で設けられている）が、その一部分がリベット部５に近接して沿うように刻設されており、スコア線７（開口時に破断する主スコア線）によって囲まれた領域が、開口時に缶内に押し下げられる開口片８の部分となっていて、スコア線７の両端部の間の部分は、開口時にパネル部２と開口片８とを繋ぐヒンジ部分となる。
【００１３】
スコア線７で囲まれたパネル部２の開口片８に対して、開口操作用のタブ６は、その一端側が指掛け部６ａとしてリベット部５を挟んで開口片８とは反対側に位置し、その他端側が押下げ部６ｂとして開口片８の上方に位置するように、開口片８の領域外で、パネル部２の略中央に形成されたリベット部５により、パネル部２にリベット止めで固着されている。
【００１４】
なお、パネル部２のうちのタブ６と開口片８を含む領域は、低い傾斜壁で囲まれたセンターパネル部分９として、パネル部２の上面よりも一段浅く凹んだ面に形成されており、それによって、缶蓋上面でのタブ６の突出の度合いが低く抑えられると共に、パネル部２の全体的な剛性が高められている。また、開口片８となる部分には、下方に突出する凹ビードと該凹ビードの内側で上方に突出する凸ビードとによる補強用ビード８ａが形成されており、センターパネル部分９でタブ６の下方には、図示していないが、リベット部５を囲むような半円弧状に下方に凹んだ凹ビードによる補強用ビードが形成されている。
【００１５】
パネル部２のうちのセンターパネル部分９には、タブ６の指掛け部６ａの付近の下方に、指掛け部６ａを摘み易くするための指入れ凹部１０が、センターパネル部分９の傾斜壁の一部分と連なった状態で、センターパネル部分９から更に下方に凹むように形成されている。この指入れ凹部１０の底面１０ａは、パネル面と略平行な面となっていて、平面視では、タブ６の中心軸線方向と直交する方向に延びる横長で、両端が円弧状の小判形状（レーストラック形状）となっている。
【００１６】
タブ６では、全体の外周縁や指掛け部６ａの内側縁の部分で金属板が下面側に折り曲げられており、それらの部分では剛性が極めて高いのに対して、リベット部５によりリベット止めされる部分の近傍では、一枚の金属板だけで変形し易いようになっている。また、タブ６の指掛け部６ａは、タブ６の他の外周部分から少し上方に突出して、パネル面との間に隙間が設けられると共に、金属板が下面側に折り曲げられているタブ６の他の外周部分に比べて、それより厚さが薄くなるように押し潰されていることで、パネル面との隙間が更に大きくなっている。
【００１７】
ところで、上記のような缶蓋１では、タブ６の指掛け部６ａに指を掛け易くするために、指掛け部６ａの付近の下方で、パネル部２のセンターパネル部分９に指入れ凹部１０が形成されているが、本実施例では、図２に示すように、この指入れ凹部１０の底面１０ａの周囲を囲む傾斜面１０ｂ，１０ｃは、タブ指掛け部６ａの側の傾斜面１０ｂでは急斜面となっており、タブ指掛け部６ａとは反対側の傾斜面１０ｃは、図３に示すように、パネル部２の外周縁に向かって拡がるような平面視で略扇状の緩斜面となっていて、両方の傾斜面１０ｂ，１０ｃは滑らかに連続している。
【００１８】
すなわち、本実施例の缶蓋１では、タブ指掛け部６ａの側で急斜面となる傾斜面１０ｂは、底面１０ａに対する傾斜角度が５０°〜７０°の範囲（具体的には６０°）となるように傾斜しており、一方、タブ指掛け部６ａとは反対側で緩斜面となる傾斜面１０ｃは、底面１０ａに対する傾斜角度が５°〜４０°（具体的には２０°）の範囲となるように傾斜していて、平面視で略扇状となっている傾斜面１０ｃの両側縁の開き角度α（扇の開き角度）は４５°〜１２０°（具体的には６０°）となっている。
【００１９】
なお、本実施例の缶蓋１の指入れ凹部１０について、具体的には、底面１０ａの大きさが、縦幅（タブ６の中心軸線方向の長さ）で２．６ｍｍ、横幅（タブ６の中心軸線方向に直交する方向の長さ）で１１．４ｍｍとなるようにしている。また、タブ指掛け部６ａとは反対側になる略扇状の緩斜面１０ｃの大きさが、縦幅（タブ６の中心軸線方向の長さ）で８．８ｍｍで、横幅（タブ６の中心軸線方向に直交する方向の長さ）の最大幅で２３．９ｍｍとなるようにしている。
【００２０】
指入れ凹部１０の深さ（センターパネル部分９の上面から底面１０ａの上面までの距離）については、１．１〜１．５ｍｍの範囲（具体的には１．４５ｍｍ）となるようにしており、そうすることで、タブ６の指掛け部６ａに指をかかり易くできると共に、指入れ凹部１０の成形性が損なわれることもない。また、傾斜面１０ｂとセンターパネル部分９との接続部の曲率半径については、０．３〜０．５ｍｍの範囲（具体的には０．４ｍｍ）となり、傾斜面１０ｂと底面１０ａとの接続部の曲率半径については、０．７〜０．９ｍｍの範囲（具体的には０．８ｍｍ）となるようにしている。
【００２１】
また、指入れ凹部１０とタブ６の指掛け部６ａとの配置関係については、缶蓋の単体同士を積み重ねた際の積み重ね性や、積み重ねた缶蓋を切り離す際の切り離し性が良好で、しかも、充分な指掛かり性を確保できるように、指入れ凹部１０とタブ指掛け部６ａとを僅かにオーバーラップさせているが、そのためには、指入れ凹部１０の傾斜面１０ｂ（センターパネル部分９との接続部を含む）の外縁端（センターパネル部分９と接続部との境界）を基準として、これにタブ指掛け部６ａの外縁端がオーバーラップする距離（缶蓋半径方向の距離）を、０．２〜０．８ｍｍの範囲（具体的には０．４ｍｍ）となるようにしている。
【００２２】
指入れ凹部１０の成形については、例えば、図４に示すように、缶蓋の成形時で、上金型２１と下金型２２とで金属材料をプレス成形する際に、パネル部２の外周縁部のうち、指入れ凹部１０のタブ指掛け部６ａとは反対側の緩斜面１０ｃに近接する部分のみ下金型２２の受けを凹ませることで、下金型２２による規制を緩和し、この部分の金属材料を缶蓋半径方向内方に移行させることで、指入れ凹部１０を成形するようにしている。
【００２３】
そのような方法によりプレス成形された本実施例の缶蓋１では、図２に示すように、円周方向に延びているパネル部２の外縁部分のうちで、指入れ凹部１０のタブ指掛け部６ａとは反対側の傾斜面１０ｃに近接する部分２ａは、その他の部分に比べて、下方に凹んだ形状（最大で０．４ｍｍ下方に凹んだ形状）となっている。
【００２４】
上記のような本実施例の開口容易缶蓋によれば、缶蓋１のパネル部２（センターパネル部分９）に形成された指入れ凹部１０で、タブ指掛け部６ａの側の傾斜面１０ｂを、底面１０ａに対する傾斜角度が５０°〜７０°の範囲（具体的には６０°）となるように、比較的急傾斜としていることによって、タブ６の指掛け部６ａに指を掛ける際に、タブ指掛け部６ａの側で指入れ凹部１０の傾斜面１０ｂが邪魔になり難くなって、タブ６の指掛かり性を向上させることができる。
【００２５】
この点について、タブ指掛け部６ａの側の傾斜面１０ｂで、底面１０ａに対する傾斜角度が７０°よりも大きいと、指入れ凹部１０の成形時に傾斜面１０ｂでの成形性が悪くなって、傾斜面１０ｂと底面１０ａとの接続部で薄肉化やくびれが生じる虞があり、一方、底面１０ａに対する傾斜角度が５０°よりも小さいと、タブ６の指掛け部６ａに指を掛ける際に傾斜面１０ｂが邪魔になる虞がある。
【００２６】
また、本実施例の缶蓋１によれば、指入れ凹部のタブ指掛け部６ａとは反対側の傾斜面１０ｃを、底面１０ａに対する傾斜角度が５°〜４０°の範囲（具体的には２０°）となるように、比較的緩傾斜として、且つ、傾斜面１０ｃの両側縁の開き角度αが４５°〜１２０°の範囲（具体的には６０°）で拡がるような略扇状に形成していることから、缶蓋１の成形時に、指入れ凹部１０では、タブ指掛け部６ａとは反対側のパネル部２の外周部分から多くの金属材料をタブ指掛け部６ａの側の傾斜面１０ｂにスムーズに移行させることができ、タブ指掛け部６ａの側で急傾斜となっている傾斜面１０ｂと底面１０ａとの接続部に充分に金属材料を確保することができて、当該部分で薄肉化やくびれ等が生じることを防止することができる。
【００２７】
この点について、傾斜面１０ｃの底面１０ａに対する傾斜角度が４０°よりも大きいと、指入れ凹部１０の成形時にパネル部２の外周部分の金属材料を指入れ凹部１０の傾斜面１０ｂに充分に移行させることができず、タブ指掛け部６ａの側の傾斜面１０ｂと底面１０ａとの接続部に薄肉化やくびれが生じる虞があり、一方、傾斜面１０ｃの底面１０ａに対する傾斜角度が５°より小さくても、同様に指入れ凹部１０の成形時にパネル部２の外周部分の金属材料を指入れ凹部１０の傾斜面１０ｂに充分に移行させることができない虞があって、タブ指掛け部６ａの側の傾斜面１０ｂと底面１０ａとの接続部に薄肉化やくびれが生じる虞がある。
【００２８】
また、傾斜面１０ｃの両側縁の開き角度αについて、開き角度αが４５°より小さいと、タブ指掛け部６ａの側の傾斜面１０ｂに移行させる金属材料の量が充分に確保できない虞があり、一方、開き角度αを１２０°より大きくしても、傾斜面１０ｃの側縁付近での金属材料の移行が生じにくくなって、効果的に金属材料を移行させられない虞がある。
【００２９】
さらに、本実施例の缶蓋１では、円周方向に延びているパネル部２の外縁部分のうちで、指入れ凹部１０のタブ指掛け部６ａとは反対側の傾斜面１０ｃに近接する部分２ａを、その他の部分に比べて、下方に凹ませている（最大で０．４ｍｍ下方に凹んだ形状としている）が、そのような本実施例の缶蓋１によれば、指入れ凹部１０の傾斜面１０ｃに近接するパネル部２の外周部分の金属材料を、凹ませた分だけ缶蓋半径方向内方に移行させることができ、指入れ凹部１０の成形時に、タブ指掛け部６ａの側の傾斜面１０ｂと底面１０ａとの接続部で充分な金属材料を確保することができて、当該部分で薄肉化やくびれ等が発生するのを確実に防止することができる。
【００３０】
以上、本発明の開口容易缶蓋の一実施例について説明したが、本発明は、上記の実施例にのみ限定されるものではなく、例えば、上記の実施例に示したようなステイオンタブ方式の開口容易缶蓋に限らず、フルオープンタイプの開口容易缶蓋としても実施可能である等、適宜に設計変更可能なものである。
【図面の簡単な説明】
【００３１】
【図１】本発明の開口容易缶蓋の一実施例について、缶蓋の全体を示す平面図。
【図２】図１に示した開口容易缶蓋について、タブの指掛け部の外端部分と指入れ凹部の付近を拡大して示す缶蓋半径方向に沿った断面図。
【図３】図２に示した部分を上方から見た状態を示す平面図。
【図４】指入れ凹部の金型による成形状態の一例を示す説明図。
【符号の説明】
【００３２】
１        缶蓋（開口容易缶蓋）
２        パネル部
５        リベット部
６        タブ
６ａ      （タブの）指掛け部
７        スコア線
８        開口片
１０      指入れ凹部
１０ａ    （指入れ凹部の）底面
１０ｂ    （指入れ凹部の）傾斜面
１０ｃ    （指入れ凹部の）傾斜面
【図１】
0004979128.tif 000002
【図２】
0004979128.tif 000003
【図３】
0004979128.tif 000004
【図４】
0004979128.tif 000005